(57)【要約】【課題】放送用マスターテープ作成時に、発生したエラーのうち記録時に発生したエラーを容易に判別し、マスターテープ作成効率を向上させる。【解決手段】記録媒体１００に記録する映像信号のカットの開始点のタイムコードを記憶する編集点データベース１２０と、記録媒体１００に記録した映像信号を再生し、フィールド単位でエラーの有無を判別する映像信号再生処理部２０７及びマイコン２０８と、エラーと判別されたフィールドのタイムコードを記憶するエラーレートデータベース１４０とを有し、エラーレートデータベース１４０に記憶されたタイムコードが編集点データベースに記憶されたタイムコードのうちのいずれかと一致したときに、このエラーは記録時のエラーであると判断する機能を有する。【選択図】　図１
2004039067.tif 000002
【特許請求の範囲】
【請求項１】
記録媒体に対して映像信号をタイムコードと共に記録し、編集を行う映像信号記録再生装置であって、
前記記録媒体に記録する映像信号のカットの開始点のタイムコードを記憶する編集点記憶手段と、
前記記録媒体に記録した映像信号を再生し、所定の映像単位でエラーの有無を判別するエラー判別手段と、
前記エラー判別手段によりエラーと判別された映像信号のタイムコードを記憶するエラー位置記憶手段とを有し、
前記エラー位置記憶手段に記憶されたタイムコードが前記編集点記憶手段に記憶されたタイムコードのうちのいずれかと一致したときに、前記エラーは記録時のエラーであると判断する機能を有する映像信号記録再生装置。
【請求項２】
前記エラー判別手段が、連続する複数の所定の単位をエラーであると判断し、かつ、前記連続する複数の所定の単位のうちの最初の所定の単位が記録時のエラーであると判断されたとき、前記連続する複数の所定の単位のエラーはすべて記録時のエラーであると判断する機能をさらに有する、請求項１に記載の映像信号記録再生装置。
【請求項３】
前記エラー位置記憶手段に記憶されたタイムコードが前記編集点記憶手段に記憶されたタイムコードのうちのいずれかと一致したときに、前記エラーは記録時のエラーであると判断し、エラーである前記所定の映像単位を再度記録媒体に記録する機能をさらに有する、請求項１または２に記載の映像信号記録再生装置。
【請求項４】
前記所定の映像単位は、映像信号のフィールド単位である、請求項１乃至３に記載の映像信号記録再生装置。
【請求項５】
前記エラー判別手段は、前記所定の映像単位のエラーレートが所定値以上となったときに前記所定の映像単位をエラーと判断する、請求項１乃至４に記載の映像信号記録再生装置。
【請求項６】
前記エラーレートは、フィールド中の総画素数に対するエラーの発生した画素数の割合である、請求項５に記載の映像信号記録再生装置。
【請求項７】
前記エラーの発生した画素とは、前記記録媒体から画素の映像信号を再生して得られるエンベロープ信号が所定のレベル以下となる画素である、請求項６に記載の映像信号記録再生装置。
【請求項８】
記録媒体に対して映像信号をタイムコードと共に記録し、編集を行う映像信号記録再生装置であって、
前記記録媒体に記録する映像信号のカットの開始点のタイムコードを記憶する編集点記憶手段と、
前記記録媒体に所定の映像単位で映像信号を記録すると同時に、前記映像信号を前記所定の映像単位で再生し、前記所定の映像単位でエラーの有無を判別するエラー判別手段とを有し、
前記エラー判別手段がエラーと判別した前記所定の映像単位のタイムコードが前記編集点記憶手段に記憶されたタイムコードと一致したときに、前記エラーは記録時のエラーであると判断し、エラーである前記所定の映像単位を再度記録媒体に記録する機能を有する映像信号記録再生装置。
【請求項９】
記録時のエラーが発生したときに、エラー発生を通知するエラー発生通知手段をさらに有する、請求項１乃至８に記載の映像信号記録再生装置。
【請求項１０】
記録時のエラーが発生したときにエラー発生をログファイルに記録するログファイル作成手段をさらに有する、請求項１乃至８に記載の映像信号記録再生装置。
【発明の詳細な説明】
【０００１】
【発明の属する技術分野】
本発明は、編集処理において映像の記録後に確認再生を行う映像記録再生装置に関する。
【０００２】
【従来の技術】
放送用マスターテープの作成・管理においては、マスターテープの映像を磁気記録再生装置によって確認再生し、エラーレートを測定することで記録品質やテープの劣化具合を判断している。図７に従来の磁気記録再生装置のブロック図を示す。再生ヘッド２０２によってテープ１００から再生された再生映像信号は、映像信号再生処理部２０７により画素毎にエラーの有無を判別される。マイコン２０８はエラーの数を各フィールド毎にカウントし、エラーレートを計算する。エラーレートは、タイムコード処理部２１１がテープ１００から読み取ったタイムコードと共にエラー警告表示部１１０へリアルタイムに表示される。
エラーレートの一例としては、映像の１フィールド毎の総画素数に対して再生エラーが発生した画素の個数で定義することができる。例えば、１フィールドの総画素数が１０の５乗（＝１０００００）であり、そのうちエラーと判別された画素が１画素であれば、エラーレートは１０の−５乗となる。このエラーレートが所定のしきい値以上となったフィールドに対しては、テープ１００上の同じ位置に同じフィールドを再度記録することにより、最終的な記録品質を向上させている。
確認再生により発見できるエラーには、再生ヘッドの異常、テープの老朽化等が原因の再生系のエラーと、テープへの記録時にエンベロープ波形の欠落等によりエラーが発生してテープに正しい情報が記録されていない記録系のエラーとがある。ここで、記録系のエラーの原因となるエンベロープ波形の欠落について説明する。マスターテープ作成時の磁気記録再生装置の記録系のエラーの多くは、映像編集時における編集開始点（以下開始点と記載）、すなわち編集される各カットの先頭で発生する場合が多い。これはテープへの記録開始時に、記録ヘッドの瞬間的な目づまりによってテープにエンベロープ波形が欠落することによる。
記録ヘッドの瞬間的な目づまりとは、記録中にほこり、ゴミなどがヘッドに当たり、瞬間的にテ−プ１００とヘッドとの間に壁が出来て記録が出来ない状態を言う。また、この目づまりにより、テ−プ１００の記録デ−タが一部抜ける状態が、エンベロープ波形の欠落である。
アニメーション映像作成時など、１フレーム毎のスライドを連続で編集して動画アニメーションを作成する場合を例に取って図２、図３を用いて説明する。図２は、正常に編集が行われた場合のテープパターンを示す。タイムコードが０１時０２分０３秒０１フレーム（以下０１：０２：０３：０１と記載）である位置を開始点として、１フレームを構成する２４トラック分（網掛け部）がＶＩＤＥＯ、ＡＵＤＩＯチャネルの双方ともテープ１００上に記録される。一方、図３は、編集時に瞬間的な目づまりが発生し、エンベロープ波形が欠落した場合のテープパターンを示す。タイムコードが０１：０２：０３：０１である位置を開始点として１フレームを記録したが、先頭から数トラックにわたりなにも記録されず、未記録領域、または過去にこのテープ位置に記録した下地データが残った領域ができている状態を示している。この状態がエンベロープ波形の欠落である。
再生系のエラーは、再生ヘッドの清掃や寿命となったテープの交換作業でエラーを回復することができる。一方、記録系のエラーは、エラー発生時に不正な情報がテ−プに記録されてしまう為、記録直後にエラーを判別して必要に応じて再度記録しなおす必要があり、そのためには記録後にテープの確認再生を行わなければならなかった。
【０００３】
【発明が解決しようとする課題】
しかしながら、従来の磁気記録再生装置では再生系が原因となるエラーと記録系が原因となるエラーの区別が出来ないという問題があった。すなわち、従来の磁気記録再生装置では、記録後の確認再生時において再生系のエラーと記録系のエラーを区別できないため、本来検出したい記録系のエラーだけではなく、再生系のエラーも含めたエラーをカウントしてエラーレートを計算、表示していた。このため、記録系のエラー発生時の他、再生系のエラー発生時にも再記録を行うこととなり、マスターテープ作成時間が必要以上にかかってしまうという問題があった。
本発明は、このような問題点に鑑み、マスターテープ作成時の記録系のエラーを容易に判別し、マスターテープ作成効率を向上させることを目的とする。
【０００４】
【課題を解決するための手段】
上記課題を解決するために本発明は、記録媒体に対して映像信号をタイムコードと共に記録し、編集を行う映像信号記録再生装置であって、記録媒体に記録する映像信号のカットの開始点のタイムコードを記憶する編集点記憶手段と、記録媒体に記録した映像信号を再生し、所定の映像単位でエラーの有無を判別するエラー判別手段と、エラー判別手段によりエラーと判別された映像信号のタイムコードを記憶するエラー位置記憶手段とを有し、エラー位置記憶手段に記憶されたタイムコードが編集点記憶手段に記憶されたタイムコードのうちのいずれかと一致したときに、このエラーは記録時のエラーであると判断する機能を有する映像信号記録再生装置である。
【０００５】
【発明の実施の形態】
（実施の形態１）
図１に本発明の実施の形態１のブロック図を示す。映像信号記録処理部２０６は、映像入力端子２１３から入力された入力映像信号にフィルタ処理、圧縮処理等を施し、記録映像信号に変換する。記録ヘッド２００は記録映像信号をテープ１００に記録する。
【０００６】
再生ヘッド２０２はテープ１００から再生映像信号を再生する。映像信号再生処理部２０７は、再生映像信号のフィルタ処理、伸張処理等を行い、出力映像信号として映像出力端子２１４に出力する。また、映像信号再生処理部２０７は、テープ１００からの再生映像信号中のエラー数をカウントし、フィールド毎にエラー数をマイコン２０８に通知する。
【０００７】
タイムコード処理部２１１は、テープ１００に記録する記録映像信号の各フィールドに対応するタイムコードをタイムコード記録再生ヘッド２０３によってテープ１００に記録する。また、テープ１００に記録されたタイムコードをタイムコード記録再生ヘッドから再生し、再生したタイムコードをマイコン２０８に通知する。
【０００８】
マイコン２０８は、操作部１３０からのユーザの操作に応じて記録再生の処理を制御する。また、映像信号再生処理部２０７から通知されたエラー数からエラーレートを計算する。また、編集点データベース１２０、エラーレートデータベース１４０への読み書きを制御すると共に、エラー警告表示部１１０への表示内容を制御する。なお、本発明の請求項におけるエラー検出手段は、映像信号再生処理部２０７及びマイコン２０８に対応する。
【０００９】
エラー警告表示部１１０は、ユーザにエラーの発生を通知するための表示部であり、ＣＲＴ、液晶パネル、ＬＥＤ等の表示装置を用いることができる。編集点データベース１２０は、テ−プ１００を編集した際の開始点の各タイムコ−ド値を複数記録するデータベースであり、通常半導体メモリで構成されるが、光ディスク、ハードディスク等の記録媒体で構成することもできる。エラーレートデータベース１４０は、エラーレートがしきい値以上となったフィールドのタイムコードをそのエラーレートと共に複数記録するデータベースであり、通常半導体メモリで構成されるが、光ディスク、ハードディスク等の記録媒体で構成することもできる。
【００１０】
次に、図４のフローチャートを用いて、実施の形態１において複数のカットをテープ１００に編集記録する場合の処理の流れを説明する。
ユーザが操作部１３０を操作することにより、マイコン２０８が映像信号記録処理部２０６、映像信号再生処理部２０７を制御し、編集処理を実行する（Ｓ１）。編集中、ひとつのカットを記録するたびに、そのカットの開始点のタイムコードが編集点データベース１２０に記録される（Ｓ２）。なお、編集点データベース１２０には開始点だけでなく終了点を記録することも可能である。
【００１１】
編集が終了したら、確認再生を行う（Ｓ３）。確認再生はユーザが操作部１３０を操作することによって手動で実行してもよいし、編集が終了した時点で自動的に実行するようにしてもよい。確認再生においては、まずテープ１００を巻き戻して記録した複数のカットの先頭を頭出しし、その位置から再生を行ってテープ１００からの再生信号中にエラーがないかどうかを判別する。エラーであるかどうかは、再生したエンベロープ波形が所定のレベル以下となるかどうかで判断する。また、エラーを判別する際の単位となる映像信号の期間（以下、エラー判別単位と記載）は、１画素もしくは複数の画素単位、映像圧縮時の単位であるマクロブロック単位や、連続した複数のマクロブロック単位、テープ１００上のトラック単位等、任意の単位で行うことが可能である。そして、このエラー判別単位内のすべてのエンベロープ波形が所定のレベル以下となった場合に、そのエラー判別単位をエラーと判別する。もしくは、所定の時間以上連続して所定のレベル以下となった場合や、一瞬でも所定のレベル以下となった場合にエラーであると判別してもよい。例えば、エラー判別単位を１画素とした場合、再生される映像信号のエンベロープ波形を画素単位で計測し、１画素分のエンベロープ波形がすべて所定のレベル以下であった場合、その画素をエラーと判別する。また、エラー判別単位を１マクロブロックとした場合、再生される映像信号のエンベロープ波形をマクロブロック単位で計測し、１マクロブロック分のエンベロープ波形のうちの例えば５％以上が所定のレベル以下であった場合、そのマクロブロックをエラーと判別するようにしてもよい。映像信号処理部２０７は、このように判別したエラーを１フィールド毎にカウントしていき、１フィールド分の映像信号の再生を終了するたびに集計したエラー数をマイコン２０８に通知する。なお、本実施の形態ではエラーを１フィールド毎に集計するとしたが、１フレーム毎、テープ上の１記録トラック毎、編集した１カット毎、また、前記した単位の複数単位毎等、どのような単位で集計しても構わない。
【００１２】
マイコン２０８は、フィールド毎のエラー数からエラーレートを計算する（Ｓ４）。エラーレートの計算の一例としては、カウントしたエラー数を１フィールドのエラー判別単位の総数で割る方法が挙げられる。例えば、エラー判別単位が１画素であり、１フィールドに１０の５乗個の画素が存在するとし、エラー数が１であれば、エラーレートは１÷１０の５乗＝１０の−５乗となる。計算されたエラーレートは所定のしきい値と比較され、エラーレートがしきい値以上となった場合には、このフィールドにエラーが発生しているとして、タイムコード処理部２１１から送られてくるタイムコードとこのエラーレートを対にしてエラーレートデータべース１４０に記録する（Ｓ５）。
【００１３】
なお、本実施の形態では映像信号再生処理部２０７がエラー数をカウントし、マイコン２０８がエラーレートを計算してしきい値と比較するとしたが、映像信号再生処理部２０７がエラーレートを計算してしきい値と比較し、そのフィールドがエラーであると判別した場合にマイコン２０８に通知するようにしてもよい。また、映像信号再生処理部２０７が、１フィールド毎のエラー数が所定数以上となった場合にそのフィールドがエラーであると判別してマイコン２０８に通知するようにしてもよい。また、１フィールド毎のエラーレートをマイコン２０８に通知し、しきい値との比較のみマイコン２０８が行うことにしてもよい。また、１フィールド再生中にエラーが発生するごとにマイコン２０８にエラー発生を通知し、マイコン２０８がエラー数をカウントし、エラーレートを計算するようにしてもよい。
【００１４】
次にマイコン２０８は、エラーレートデータベース１４０に記録されたタイムコード（以下ＴＣ＿Ｅと記載）を、編集点データベース１２０に記録された開始点のタイムコードと比較する（Ｓ６）。もし、編集点データベース１２０中にＴＣ＿Ｅと一致するタイムコードが含まれていれば、開始点においてエラーが発生したことになる。開始点でのエラーは、記録時におけるエンベロープ波形の欠落による可能性が非常に高いため、これを記録系のエラーと判断する。エンベロープ波形の欠落は複数フィールドの範囲にわたる可能性もあるため、ＴＣ＿Ｅが示すフィールドに続くフィールドが連続してエラーとなっている場合、これらも記録時におけるエンベロープ波形の欠落による記録系のエラーと判断する。エラーを判別すると、マイコン２０８はエラー警告表示部１１０に記録系のエラーが発生したことをエラーの発生したタイムコードの範囲等の情報と共に表示し、ユーザに警告を行う（Ｓ７）。ユーザは警告表示にしたがって、エラーの発生したカットを再記録する等の対応をすることができる。なお、編集点データベース１２０に開始点だけでなく終了点も記録している場合、ＴＣ＿Ｅを開始点だけでなく終了点とも比較してもよい。また、本実施の形態では記録系のエラーが発生した場合にエラー警告表示部１１０に表示するとしたが、記録系エラーだけでなく、再生系エラーが発生した場合にも、記録系エラーの発生時とは区別できる形で再生系エラーが発生した旨の表示を行うことが可能である。また、エラー警告表示部１１０にエラー表示を行うのと並行して、またはそのかわりに、記録媒体にエラー発生の内容をログファイルとして記録するようにしてもよい。ログファイルを記録することにより、確認再生中にユーザがエラー発生を監視する必要が無く、確認再生終了後にログファイルを閲覧してエラーの有無やエラー発生箇所の確認を行うことができる。
【００１５】
以上説明したように、本実施の形態では、編集作業において記録した映像信号を確認再生してフィールド毎にエラーレートを計算し、エラーと判別されたフィールドのタイムコードを編集点データベースと照合して開始点でのエラーかどうかを判別することにより、そのエラーが記録系のエラーであるかどうかを判別し、記録系のエラーであればユーザに警告を発することができる。これにより、ユーザはマスターテープの再編集が必要となる記録系のエラーを容易に判別することができ、再編集によりマスターテープ上の記録系のエラーを解消することができ、マスターテープ作成効率を向上させることが可能となる。
（実施の形態２）
以下、本発明の実施の形態２について説明する。ただし、実施の形態１と同様の部分については詳細な説明は省略する。実施の形態１との違いは、確認再生の結果エラーと判別されたフィールドについて、自動的にエラーが発生した箇所を再記録するようにしたことである。
【００１６】
実施の形態２のブロック図は実施の形態１と同様であり、説明は省略する。図５のフローチャートを用いて、実施の形態１と異なる部分を中心に実施の形態２の処理の流れを説明する。編集処理の後確認再生を行い（Ｓ３）、記録系のエラーが発生したフィールドを判別してエラー警告表示部１１０に表示を行う（Ｓ７）ところまでは実施の形態１と同様である。
【００１７】
次に、エラーの発生したフィールドの再記録を行う（Ｓ８）。まずエラーの発生したフィールドのうち、タイムコードの小さい（時間的に前の）フィールドから順に、テープ１００上で頭出しを行い、そこから再度フィールドの記録及び確認再生を行い、エラーでなければ次のタイムコードのフィールドへ頭出しを行い、再記録を行う。複数のフィールドが連続してエラーとなっている場合は、これらのフィールドを連続して再記録することができる。なお、再記録を行う前にはあらかじめ記録ヘッド２００のクリーニングを行ってもよく、クリーニング作業はテープ１００の頭出しと同時並行的に行ってもよいし、順番に行ってもよい。また、フィールドがエラーと判別された場合の再記録をエラーなく完了できるまで所定回数繰り返してもよい。また、所定回数再記録を繰り返してもエラーが解消できなかった場合は、このエラーはテープやヘッドの異常による再生系のエラーと判断しなおし、エラー警告表示部１１０への警告表示や、再生ヘッド２０２のクリーニング後再度確認再生を行うようにしてもよい。また、再記録の単位をフィールドではなくカット全体としてもよい。すなわち、エラーとなったカットの開始点を頭出しし、そこからそのカット全体を再記録してもよい。
【００１８】
以上説明したように、本実施の形態では、実施の形態１で説明した効果の他、以下のような効果を有する。すなわち、確認再生により記録系のエラーと判別されたフィールドについて、自動的にエラーが発生した箇所を再記録するようにしたことにより、ユーザがエラー警告表示部を確認せずとも、一括して再記録を行うことができ、編集作業を効率化ができるという効果を有する。
（実施の形態３）
以下、本発明の実施の形態３について説明する。ただし、実施の形態１と同様の部分については詳細な説明は省略する。実施の形態１との違いは、以下の２点である。１点目は、編集処理において映像信号を記録すると同時に確認再生を行い、記録した内容をリアルタイムで確認するようにしたことである。２点目は、確認再生の結果エラーと判別された場合、自動的にエラーが発生した箇所を再記録するようにしたことである。
【００１９】
実施の形態３のブロック図は実施の形態１とほぼ同様であり、編集点データベース１２０及びエラーレートデータベース１４０が省略されている点のみが異なるので、説明は省略する。図６のフローチャートを用いて、実施の形態１と異なる部分を中心に実施の形態３の処理の流れを説明する。ユーザが操作部１３０を操作することにより、マイコン２０８が映像信号記録処理部２０６、映像信号再生処理部２０７を制御し、編集処理を実行する（Ｓ１）。そして、編集記録中に同時再生により確認再生を行う（Ｓ３−２）。すなわち、編集処理においてテープ１００に対して映像信号を記録ヘッド２００で記録すると同時に、たった今記録した映像信号を再生ヘッド２０２で再生し、リアルタイムにエラーの判別を行う。エラーであるかどうかは、実施の形態１と同様の方法で判別できるほか、映像信号記録処理部がテープ１００に記録した内容と、テープ１００から再生した内容を直接比較することで判別することも可能である。
【００２０】
映像信号処理部２０７は、判別したエラーを１フィールド毎にカウントしていき、１フィールド分の映像信号の記録動作および確認再生を終了するたびに集計したエラー数をマイコン２０８に通知する。マイコン２０８は、フィールド毎のエラー数からエラーレートを計算し（Ｓ４−２）、所定のしきい値と比較する。エラーレートがしきい値以上となった場合には、マイコン２０８はこのフィールドＦにエラーが発生していると判別し、次にこのフィールドＦが開始点であったかどうかを判断する（Ｓ６−２）。これは、あらかじめ現在記録中のカットの開始点のタイムコードをメモリに記憶しておき、これとフィールドＦのタイムコードとが一致するかどうかを検査することで容易に判断可能である。フィールドＦが開始点であった場合、開始点においてエラーが発生したことになる。このエラーは、開始点におけるエンベロープ波形の欠落による可能性が非常に高いため、これを記録系のエラーと判断し、エラー警告表示部１１０に、フィールドＦにおいて記録系のエラーが発生したことをタイムコードと共に表示し、ユーザに警告を行う（Ｓ７）。
【００２１】
次に、エラーの発生したフィールドＦの再記録を行う（Ｓ８）。まずテープ１００上のフィールドＦが記録された領域の先頭に頭出しを行い、そこから再度フィールドＦの記録及び確認再生を行い、エラーでなければ次のフィールドの記録に進む。なお、再記録を行う前にはあらかじめ記録ヘッド２００のクリーニングを行ってもよく、クリーニング作業はテープ１００の頭出しと同時並行的に行ってもよいし、順番に行ってもよい。また、フィールドＦがエラーと判別された場合には再記録を所定回数繰り返してもよく、所定回数再記録を繰り返してもエラーが解消できなかった場合、このエラーはテープやヘッドの異常による再生系のエラーと判断しなおし、エラー警告表示部１１０への警告表示や、再生ヘッド２０２のクリーニング後再度記録動作を行うようにしてもよい。
【００２２】
以上説明したように、本実施の形態では、実施の形態１で説明した効果の他、以下のような効果を有する。すなわち、編集処理において映像信号を記録すると同時に確認再生を行って記録した内容をリアルタイムで確認するようにしたことにより、実施の形態１のような編集点データベース１２０やエラーレートデータベース１４０を構成するメモリ等の記録媒体を必要とせず、エラーレートやタイムコード等の情報を一時的に保存するメモリのみでよいため、装置の構成を簡略化できるという効果を有する。また、フィールド単位の確認再生によりエラーと判別された場合、そのフィールドを自動的に再記録するようにしたことにより、編集作業の終了後に一括して再記録を行う場合と比較して再記録するフィールドの頭出しにかかる時間を短縮でき、編集作業を効率化ができるという効果を有する。
【００２３】
【発明の効果】
以上のように、本発明によれば、編集作業において記録した映像信号を確認再生してフィールド毎にエラーレートを計算し、エラーと判別されたフィールドのタイムコードを編集点データベースと照合して開始点でのエラーかどうかを判別することにより、そのエラーが記録系のエラーであるかどうかを判別し、記録系のエラーであればユーザに警告を発することができる。これにより、ユーザはマスターテープの再編集が必要となる記録系のエラーを容易に判別することができ、再編集によりマスターテープ上の記録系のエラーを解消することができ、マスターテープ作成効率を向上させることが可能となる。
【図面の簡単な説明】
【図１】本発明の実施の形態１の構成を示すブロック図
【図２】磁気記録再生装置において正常な編集が行われたときのテープの記録状態を示す模式図
【図３】磁気記録再生装置において編集開始点でエンベロープ波形が欠落したときのテープの記録状態を示す模式図
【図４】本発明の実施の形態１のフローチャート
【図５】本発明の実施の形態２のフローチャート
【図６】本発明の実施の形態３のフローチャート
【図７】従来の磁気記録再生装置のの構成を示すブロック図
【符号の説明】
１００　テ−プ
１１０　エラー警告表示部
１２０　編集点デ−タベ−ス
１４０　エラ−レ−トデ−タベ−ス
２００　記録ヘッド
２０２　再生ヘッド
２０３　タイムコ−ド記録再生ヘッド
２０４　記録ヘッドアンプ
２０５　再生ヘッドアンプ
２０６　映像信号記録処理部
２０７　映像信号再生処理部
２０８　マイコン
２１１　タイムコ−ド処理部
２１３　映像入力端子
２１４　映像出力端子
【図１】
2004039067.tif 000003
【図２】
2004039067.tif 000004
【図３】
2004039067.tif 000005
【図４】
2004039067.tif 000006
【図５】
2004039067.tif 000007
【図６】
2004039067.tif 000008
【図７】
2004039067.tif 000009